(57)【要約】【課題】弾性挟持部により被挟持物の抜止め作用を発揮できる上、弾性挟持部が対向する挟持部材に接着されてしまうのを防止する。【解決手段】二つの挟持部材１０，２０をこれらの間が狭められるように付勢することで、その一方の挟持部材１０の挟持部位ｗ１と他方の挟持部材２０の挟持部位ｗ２との間に被挟持物ｘを挟持するようにした挟持構造において、前記二つの挟持部材１０，２０の双方には、前記両挟持部位ｗ１，ｗ２間が狭まった際に当接し合うように、硬質材料からなる硬質当接部２２ａ，１０ａが設けられ、前記二つの挟持部材１０，２０の内の少なくとも一方には、前記挟持部位ｗ２に配置されるとともに、前記両挟持部位ｗ１，ｗ２間が狭まった際に、対向する前記挟持部材ｗ１に接触することがないように、弾性材料からなる弾性挟持部２１ａが設けられている。【選択図】          図１
2005014493.tif 000002
【特許請求の範囲】
【請求項１】
二つの挟持部材をこれらの間が狭められるように付勢することで、その一方の挟持部材の挟持部位と他方の挟持部材の挟持部位との間に被挟持物を挟持するようにした挟持構造において、
前記二つの挟持部材の双方には、前記両挟持部位間が狭まった際に当接し合うように、硬質材料からなる硬質当接部が設けられ、
前記二つの挟持部材の内の少なくとも一方には、前記挟持部位に配置され、且つ前記両挟持部位間が狭まった際に対向する前記挟持部材に接触することがないように、弾性材料からなる弾性挟持部が設けられていることを特徴とする挟持構造。
【請求項２】
上記硬質当接部を、上記挟持部位に配置したことを特徴とする請求項１記載の挟持構造。
【請求項３】
上記弾性挟持部を、上記硬質当接部よりも、対向する上記挟持部材側へ突出させ、この突出した弾性挟持部が、対向する上記挟持部材に接触しないように、対向する上記挟持部材に逃がし凹部を設けたことを特徴とする請求項１又は２記載の挟持構造。
【請求項４】
上記弾性挟持部は、上記挟持部材を裏面側から表面側へ貫通する弾性部に一体状に形成され、
前記弾性部は、前記裏面側の上記弾性挟持部及び前記表面側の部位が、貫通部よりも、貫通方向と交差する方向へ大きくなるように形成されていることを特徴とする請求項１乃至３何れか１項記載の挟持構造。
【請求項５】
一方の上記挟持部材が筆記具の軸筒であるとともに、他方の上記挟持部材が同筆記具のクリップ部であり、
このクリップ部は、その前端部と後端部とを交互に前記軸筒に対して接近離間させるように、該前端部と該後端部との間の部位を前記軸筒に支持し、
同クリップ部は、その前端側に上記挟持部位を配置するとともに、その後端側の外面に、弾性材料からなる弾性摘み部を有することを特徴とする請求項１乃至４何れか１項記載の挟持構造。
【請求項６】
上記弾性挟持部と上記弾性摘み部とを連結部により一体に連結するとともに、これら弾性挟持部、弾性摘み部、及び連結部を一体成形していることを特徴とする請求項５記載の挟持構造。
【発明の詳細な説明】
【０００１】
【発明の属する技術分野】
本発明は、紙や布等を挟むための構造として、筆記具や、化粧具、文具用クリップ等に適用される挟持構造に関し、特に筆記具における軸筒及びクリップ部の構造として好適な挟持構造に関する。
【０００２】
【従来の技術】
従来、この種の発明には、例えば、特許文献１に記載されているように、筆記具のクリップ（５）の前端側玉部を、ゴム状弾性を有する弾性部材（６）により構成し、該弾性部材（６）と軸筒（２）との間に挟持された被挟持物が容易に抜けないようにした筆記具がる。
【０００３】
しかしながら、上記従来技術によれば、特許文献１の図１、図３、及び図４に示されるように、弾性部材（６）を軸筒（２）に対して略接触させた構成とした場合、エラストマー樹脂等からなる弾性部材（６）が経年的に変質し、その成分が合成樹脂材料等からなる軸筒（２）に移行する現象等により、軸筒（２）の外周面に接着されてしまう場合がある。そして、この場合、クリップ（５）と軸筒（２）との間が容易に開放できなくなり、その間に被挟持物を挟めなくなってしまうという不具合を生じてしまう。
また、特許文献１の図２に示されるように、弾性部材（６）と軸筒（２）との間に若干のクリアランスを設けることで、弾性部材（６）が軸筒（２）に接着されないようにすることが考えられるが、この場合、部品寸法のバラツキ等により前記クリアランスを一定に管理するのが困難であり、上記のように、弾性部材（６）が軸筒（２）に接触してしまう場合が生じてしまう。
そこで、部品寸法のバラツキ等により前記接触が生じないように、前記クリアランスを大きめに設定することが考えられるが、この場合には、比較的に肉薄な被挟持物を挟持できなかったり、挟持できたとしてもその挟持力が弱くなってしまったり等の問題があった。
【０００４】
【特許文献１】
特開２００１−１９１６８５号公報
【０００５】
【発明が解決しようとする課題】
本発明は上記従来事情に鑑みてなされたものであり、その課題とする処は、弾性挟持部により被挟持物の抜止め作用を発揮できる上、弾性挟持部が対向する挟持部材に接着されてしまうのを防止することができる挟持構造を提供することにある。
【０００６】
【課題を解決するための手段】
上記課題を解決するために第一の発明は、二つの挟持部材をこれらの間が狭められるように付勢することで、その一方の挟持部材の挟持部位と他方の挟持部材の挟持部位との間に被挟持物を挟持するようにした挟持構造において、前記二つの挟持部材の双方には、前記両挟持部位間が狭まった際に当接し合うように、硬質材料からなる硬質当接部が設けられ、前記二つの挟持部材の内の少なくとも一方には、前記挟持部位に配置され、且つ前記両挟持部位間が狭まった際に対向する前記挟持部材に接触することがないように、弾性材料からなる弾性挟持部が設けられていることを特徴とする。
【０００７】
ここで、上記二つの挟持部材には、筆記具の軸筒とそのクリップ部、化粧具の軸筒とそのクリップ部、その他の文具用挟持具等が含まれる。
上記硬質当接部は、上記挟持部材における弾性挟持部を除く部位に、略全体的に構成されたものであってもよいし、同部位に部分的に構成されたものであってもよい。
同様に、上記弾性挟持部は、上記挟持部材における上記硬質当接部を除く部位に、略全体的に構成されたものであってもよいし、同部位に部分的に構成されたものであってもよい。
また、上記弾性挟持部は、上記二つの挟持部材の内の一方のみに設けられていてもよいし、双方に設けられていてもよい。
また、上記硬質当接部を構成する上記硬質材料には、硬質合成樹脂材料や、金属材料、木材等を含む。
また、上記弾性挟持部を構成する上記弾性材料とは、常温付近で自らゴム状弾性を有するものであって、例えばオレフィン系エラストマー、スチレン系エラストマー、塩ビ系エラストマー、ウレタン系エラストマー、天然ゴム、ＮＢＲ、ブタジエン、イソプレン、ペンタジエン、ヘキサジエン、ヘプタジエン、クロロプレン等のジエン系モノマーの重合体あるいはその共重合体、ブチレン−エチレン−スチレン共重合体、エチレン−酢酸ビニル共重合体、オルガノポリシロキサン等のシリコーンゴム、ポリウレタン、軟質ポリ塩化ビニル等が挙げられ、適度の変形が可能で、元の形状に復元する弾性を有するものである。
【０００８】
また、第二の発明では、上記硬質当接部を、上記挟持部位に配置したことを特徴とする。
【０００９】
また、第三の発明では、上記弾性挟持部を、上記硬質当接部よりも、対向する上記挟持部材側へ突出させ、この突出した弾性挟持部が、対向する上記挟持部材に接触しないように、対向する上記挟持部材に逃がし凹部を設けたことを特徴とする。
【００１０】
また、第四の発明では、上記弾性挟持部は、上記挟持部材を裏面側から表面側へ貫通する弾性部に一体状に形成され、前記弾性部は、前記裏面側の上記弾性挟持部及び前記表面側の部位が、貫通部よりも、貫通方向と交差する方向へ大きくなるように形成されていることを特徴とする。
【００１１】
また、第五の発明では、一方の上記挟持部材が筆記具の軸筒であるとともに、他方の上記挟持部材が同筆記具のクリップ部であり、このクリップ部は、その前端部と後端部とを交互に前記軸筒に対して接近離間させるように、該前端部と該後端部との間の部位を前記軸筒に支持し、同クリップ部は、その前端側に上記挟持部位を配置するとともに、その後端側の外面に、弾性材料からなる弾性摘み部を有することを特徴とする。
【００１２】
また、第六の発明では、上記弾性挟持部と上記弾性摘み部とを連結部により一体に連結するとともに、これら弾性挟持部、弾性摘み部、及び連結部を一体成形していることを特徴とする。
【００１３】
【発明の実施の形態】
以下、本発明の実施の形態を図面に基づいて説明する。
本実施の形態の一例は、軸筒とクリップとの間に被挟持物を挟持するようにした筆記具Ａにおける挟持構造Ａ１として説明する（図１参照）。
【００１４】
筆記具Ａは、第一挟持部材１０（軸筒）と、第二挟持部材２０（クリップ）ととにより、被挟持物ｘ（図２及び３参照）を挟持可能な挟持構造Ａ１を構成している。
【００１５】
第一挟持部材１０は、硬質合成樹脂材料や、金属材料、木材等の硬質材料を、略長尺略筒状に加工してなる筆記具用の軸筒であり、本実施の形態の好ましい一例によれば、硬質合成樹脂材料の射出成形により形成されている。
【００１６】
第一挟持部材１０の後端側の外周面には、後述する第二挟持部材２０の弾性挟持部２１ａ（玉部）に対向する挟持部位ｗ１（図２参照）に、逃がし凹部１１が形成されている。
【００１７】
なお、前記挟持部位とは、第一挟持部材１０の外周面と第二挟持部材２０の裏面との各々に有する部位であり、被挟持物ｘを挟持するための部位を意味し、本実施の形態によれば、第一挟持部材１０側の挟持部位を符号ｗ１で示し、第二挟持部材２０側の挟持部位を符号ｗ２で示している。
より詳細には、第一挟持部材１０の挟持部位ｗ１は、逃がし凹部１１を含む逃がし凹部１１の近傍の部位であり、また、第二挟持部材２０の挟持部位ｗ２は、後述する弾性挟持部２１ａ及び硬質当接部２２からなる部位である（図２参照）。
【００１８】
逃がし凹部１１は、その内面に第二挟持部材２０の弾性挟持部２１ａが接触することがないように形成された略凹状を呈し、本実施の形態の一例によれば、第二挟持部材２０が表面側（図１（ａ）参照）から目視された際に第二挟持部材２０の裏側に隠れるように、周方向の寸法と軸方向の寸法を、それぞれ第二挟持部材２０の幅寸法と長さ寸法よりも小さく設定している。
【００１９】
また、この逃がし凹部１１の深さ寸法は、閉じた状態の第二挟持部材２０の弾性挟持部２１ａの先端面が当接することがないように設定されている。
したがって、閉じた状態の第二挟持部材２０の弾性挟持部２１ａの先端面と、逃がし凹部１１の底面との間には、クリアランスｃが確保される。
【００２０】
なお、逃がし凹部１１は、本実施の形態の好ましい一例によれば、底面を有する形状を呈するが、第二挟持部材２０の周壁を径方向へ貫通する貫通孔状とすることも可能である。この場合、第二挟持部材２０内に構成される部材と、第二挟持部材２０の弾性挟持部２１ａとの間に上記クリアランスｃが確保されるようにすればよい。
【００２１】
そして、第一挟持部材１０の外周面には、後述する第二挟持部材２０の硬質当接部２２ａと当接し合う硬質当接部１０ａ（図２参照）が確保されている。
この硬質当接部１０ａは、詳細には、硬質合成樹脂材料からなる第一挟持部材１０と一体の部位であって、前記逃がし凹部１１の周方向の両側に確保された部位である。
なお、この硬質当接部１０ａは、第一挟持部材１０と別体の部材を第一挟持部材１０に接合したものとすることも可能である。
【００２２】
また、上記第一挟持部材１０の後端側外周面には、第二挟持部材２０を支持するための支持部１２（図２参照）が、側面視略山形状に突設されている。
【００２３】
また、図１中の符号１３は、弾性材料からなるグリップ部であり、このグリップ部１３は、上記第一挟持部材１０前端側における把持部位の外周面に嵌め込まれて、当該筆記具Ａが把持された際の滑り止めとなる。
また、図１中の符号３０は、略中空円錐状の先口であり、第一挟持部材１０の前端に螺着され、その前端開口部から筆記部４１を出没させる。
【００２４】
筆記部４１は、図示例によればボールペンチップを示している。この筆記部４１は、第一挟持部材１０内の出没機構（図示せず）、及び第一挟持部材１０（軸筒）後端から突出するノック部４２等と連絡されており、ノック部４２のノック操作によって先口３０の前端から出没される（図１参照）。
なお、前記筆記部４１の他例としては、シャープペンシルや、サインペン、マーキングペン等のペン先部分であってもよい。
【００２５】
第二挟持部材２０は、硬質合成樹脂材料より略長尺平板状に成形された本体部２２に、弾性合成樹脂材料からなる弾性部２１（図２参照）を、インサート成形等の成形手段によって一体成形してなり、本実施の形態の一例によれば筆記具のクリップ部を形成している。
【００２６】
前記本体部２２は、その前端部と部端側とを交互に第一挟持部材１０（軸筒）に対して接近離間させるように、長手方向の中途部位における後端部よりが、第一挟持部材１０外周面の支持部１２によって支持されるとともに、板バネ４３により付勢されている。
【００２７】
前記板バネ４３は、側面視略横向きＵ字状の金属板材であり、その一端側を第一挟持部材１０に嵌合するとともに、他端側を第二挟持部材２０の本体部２２に嵌合した状態で、第一挟持部材１０と第二挟持部材２０前端側との間を狭めるように付勢している。
【００２８】
また、上記本体部２２の前端側には、硬質当接部２２ａ（図２参照）が一体成形されている。
この硬質当接部２２ａは、両挟持部位ｗ１，ｗ２間が狭まった際に、第一挟持部材１０の硬質当接部１０ａと当接し合う部位であり、弾性挟持部２１ａを間に置くようにして２箇所設けられている。
各硬質当接部２２ａは、詳細には、第二挟持部材２０の本体部２２裏面から第一挟持部材１０方向へ、側面視略円弧状に突出しており、その突端面を第一挟持部材１０外周面の硬質当接部１０ａに当接させる。
なお、硬質当接部２２ａは、本体部２２と別体の部材を本体部２２に接合したものとすることも可能である。
【００２９】
また、弾性部２１は、エラストマー樹脂等の弾性を有する合成樹脂材料により成形された部位であり、第二挟持部材２０の裏面側部位から突出する弾性挟持部２１ａ（玉部）と、第二挟持部材２０を厚さ方向へ貫通する貫通部２１ｂと、第二挟持部材２０の表面側に露出する露出部２１ｃと、第二挟持部材２０の後端側の表面から突出する弾性摘み部２１ｄ、露出部２１ｃと弾性摘み部２１ｄとを連絡する連絡部２１ｅとから一体に形成されている（図２及び３参照）。
【００３０】
弾性挟持部２１ａは、第二挟持部材２０の裏面側から第一挟持部材１０の逃がし凹部１１内へ向かって突出する略半球状を呈し、本実施の形態によれば、この略半球状の部位を、第一挟持部材１０の軸方向に複数設けることで、被挟持物ｘを挟持した際の滑り止め効果を良好にしている。
【００３１】
また、露出部２１ｃは、第二挟持部材２０の表面に露出される所望形状を呈している。
本実施の形態の好ましい一例によれば、前記弾性挟持部２１ａ及び露出部２１ｃは、貫通部２１ｂよりも、該貫通部２１ｂの貫通方向と略直交する方向へ大きくなるように形成されている。したがって、この構成によれば、弾性挟持部２１ａは、貫通部２１ｂの貫通方向へ、容易に抜き外されてしまうようなことがない。
【００３２】
また、弾性摘み部２１ｄは、第二挟持部材２０の後端側の表面に平面視略円形状であって、且つ該表面から若干突出する曲面状に形成された部位である。
この弾性摘み部２１ｄによれば、該弾性摘み部２１ｄと第一挟持部材１０後端部との間が手で摘まれて、第一挟持部材１０の挟持部位ｗ１と第二挟持部材２０の挟持部位ｗ２とのが開放される際、摘む手が滑ってしまうのを防止することができる。
【００３３】
また、連結部２１ｅは、第二挟持部材２０の表面側で上記露出部２１ｃと上記弾性部２１ｄとを連絡することで、上記弾性挟持部２１ａ，上記貫通部２１ｂ，上記露出部２１ｃ，弾性摘み部２１ｄ等を一体にすることで、第二挟持部材２０の生産性を向上している。
【００３４】
而して、上記挟持構造Ａ１を備えた筆記具Ａによれば、第一挟持部材１０（軸筒）の挟持部位ｗ１と第二挟持部材２０（クリップ）の挟持部位ｗ２との間に被挟持物ｘが挟まれた際、弾性挟持部２１ａの弾力性によって、被挟持物ｘを滑らせることなく挟持することができる。
この挟持状態について、より詳細に説明すれば、筆記具Ａは、被挟持物ｘを、第一挟持部材１０の外周面（硬質当接部１０ａ）と、第二挟持部材２０の硬質当接部２２ａとの間に挟んだ状態で、更に、同被挟持物ｘを、第一挟持部材１０の逃がし凹部１１の縁と第二挟持部材２０の弾性挟持部２１ａとの間でも挟むことになる。この際、弾性挟持部２１ａは、被挟持物ｘの表面に弾性的に接触する（図３参照）。
なお、本実施の形態における挟持構造Ａ１のように、筆記具Ａに適用された場合には、被挟持物ｘは、衣類のポケットや紙等の可撓性部材であることが多い。この場合、挟持された被挟持物ｘは、弾性挟持部２１ａに押圧され、逃がし凹部１１内へ凹状に撓むため、筆記具Ａ前方への引張り力に対抗することになる。
よって、被挟持物ｘは、容易に抜けてしまうことがない。
【００３５】
しかも、被挟持物ｘを挟持していない状態では、第一挟持部材１０の硬質当接部２２ａが第二挟持部材２０の外周面（硬質当接部１０ａ）に当接することで、弾性挟持部２１ａと逃がし凹部１１の底面との間に適宜なクリアランスｃ（図１（ｂ）参照）が確保される。
したがって、弾性挟持部２１ａの成分移行等の要因によって第一挟持部材１０と第二挟持部材２０との間が接着されてしまうようなことがない。
【００３６】
次に、本発明に係わる挟持構造の他例について説明する。なお、以下に例示する挟持構造において、上記挟持構造Ａ１と略同様に作用する部位については、上記挟持構造Ａ１と同一の符号をつけることで、重複する詳細説明を省略する。
【００３７】
上記挟持構造Ａ１によれば、弾性挟持部２１ａの突端を、第二挟持部材２０の硬質当接部２２ａよりも、第一挟持部材１０側へ突出させ、この突出した弾性挟持部２１ａを上記逃がし凹部１１内に逃がすようにした好ましい一例を示したが、図４に例示する挟持構造Ａ２のように、第二挟持部材２０の硬質当接部２２ａを、弾性挟持部２１ａの突端よりも、第一挟持部材１０側へ突出させるとともに、逃がし凹部１１を省いた構成とすることも可能である。
【００３８】
この挟持構造Ａ２によれば、被挟持物ｘは、第一挟持部材１０の外周面（硬質当接部１０ａ）と第二挟持部材２０の硬質当接部２２ａとの間に挟まれる。
また、被挟持物ｘは、材質等によっては若干撓むため、弾性挟持部２１ａに接触させて滑り止めされることになる。
なお、本実施の形態のように、筆記具Ａに適用された挟持構造Ａ２においては、被挟持物ｘは、衣類のポケットや紙等の可撓性部材であることが多い。したがって、被挟持物ｘは、上記のように撓むことで、弾性挟持部２１ａに接触し滑り止めされることになる。
また、被挟持物ｘを挟持していない状態（図示せず）では、第一挟持部材１０の硬質当接部２２ａが第二挟持部材２０の外周面（硬質当接部１０ａ）に当接することで、弾性挟持部２１ａと第二挟持部材２０の外周面との間に適宜なクリアランスｃが確保される。したがって、第一挟持部材１０と第二挟持部材２０との間が接着されてしまうようなことがない。
【００３９】
また、第二挟持部材２０の硬質当接部２２ａの態様は、上記挟持構造Ａ１や上記挟持構造Ａ２に限定されるものでなく、例えば、図５及び６に示す挟持構造Ａ３や，挟持構造Ａ４等の態様であってもよい。
【００４０】
挟持構造Ａ３は、二つの硬質当接部２２ａ，２２ａを、弾性挟持部２１ａよりも前側と後側とに設けた態様である。なお、この挟持構造Ａ３において、一方の硬質当接部２２ａを省いた構成とすることも可能である。
また、挟持構造Ａ４は、支持部１２寄りに硬質当接部２２ａを配設した態様である。
【００４１】
また、上記挟持構造Ａ１によれば第一挟持部材１０（軸筒）の外周面を凹ませることで上記逃がし凹部１１を形成したが、図７に示す挟持構造Ａ５のように、第一挟持部材１０の外周面に、複数の凸部１１ａを形成し、これら凸部１１ａの間を逃がし凹部１１とすることも可能である。
【００４２】
また、上記挟持構造Ａ１によれば第二挟持部材２０（クリップ）側に弾性挟持部２１ａを具備した構成としたが、図８の挟持構造Ａ６に例示するように、第一挟持部材１０（軸筒）側に弾性挟持部２１ａを具備した構成とすることも可能である。
この挟持構造Ａ６では、第一挟持部材１０の挟持部位ｗ１に、弾性材料からなる弾性挟持部２１ａを設け、該弾性挟持部２１ａと第二挟持部材２０内面との間にクリアランスｃを確保している。なお、この弾性挟持部２１ａは、第一挟持部材１０の周方向に対して部分的に設けられていてもよいし、全体的に設けられていてもよい。
そして、第一挟持部材１０側における弾性挟持部２１ａよりも前側と後側とには、上記挟持構造Ａ３（図５参照）と略同様に、硬質当接部２２ａ，２２ａが設けられる。
【００４３】
また、上記挟持構造Ａ１乃至Ａ６によれば、第一挟持部材１０（軸筒）側と第二挟持部材２０（クリップ）側との何れか一方に弾性挟持部２１ａを具備した構成としたが、第一挟持部材１０と第二挟持部材２０との双方に、弾性挟持部２１ａを具備した構成とすることも可能である（図示せず）。
【００４４】
【発明の効果】
本発明は、以上説明したように構成されているので、以下に記載されるような作用効果を奏する。
第一の発明によれば、二つの挟持部材が狭められるように付勢された際、双方の硬質当接部が当接し合うため、弾性挟持部と対向する挟持部材とが接触しない状態に維持される。
したがって、弾性挟持部による滑り止め作用を発揮できる上、弾性挟持部が対向する挟持部材に接着されてしまうのを防止することができる。
【００４５】
更に、第二の発明によれば、硬質当接部が挟持部位に配置されているため、弾性挟持部と対向する挟持部材との間や、双方の硬質当接部の間等により、被挟持物を、より確実に挟持することができる。
しかも、被挟持物の厚みが弾性挟持部と対向する挟持部材との間よりも薄い場合であっても、該被挟持物を両硬質当接部の間に挟持することができる。
【００４６】
更に、第三の発明によれば、弾性挟持部が硬質当接部よりも対向する挟持部材側へ突出しているため、弾性挟持部による滑り止め作用を効果的に発揮させて、被挟持物を一層確実に挟持することができる。
【００４７】
更に、第四の発明によれば、弾性挟持部が容易に外れないようにすることができる上、弾性挟持部をインサート成型等の成型手段により容易に形成することができる。
【００４８】
更に、第五の発明によれば、弾性摘み部と軸筒とを手で挟むようにして摘まれることで、クリップ部と軸筒との間が開放される。その際に、弾性摘み部による弾性により、摘む手が滑ってしまうのを防止することができる。
【００４９】
更に、第六の発明によれば、弾性挟持部、弾性摘み部、及び連結部が一体成形されるため、当該挟持構造を備えた筆記具の生産性に優れている。
【図面の簡単な説明】
【図１】本発明に係わる挟持構造を適用した筆記具の一例であり、（ａ）は正面図を示し、（ｂ）は側面図を示す。
【図２】同挟持構造を切欠して示す要部拡大側面図であり、挟持部材間が開かれた状態を示す。
【図３】同挟持構造を切欠して示す要部拡大側面図であり、挟持部材間が閉じられた状態を示す。
【図４】本発明に係わる挟持構造の他例を切欠して示す要部拡大側面図。
【図５】本発明に係わる挟持構造の他例を切欠して示す要部拡大側面図。
【図６】本発明に係わる挟持構造の他例を切欠して示す要部拡大側面図。
【図７】本発明に係わる挟持構造の他例を切欠して示す要部拡大側面図。
【図８】本発明に係わる挟持構造の他例を切欠して示す要部拡大側面図。
【符号の説明】
１０：第一挟持部材（軸筒）
１０ａ：硬質当接部
１１：逃がし凹部
２０：第二挟持部材（クリップ）
２２ａ：硬質当接部
２１ａ：弾性挟持部
２１ｂ：貫通部
２１ｃ：露出部
２１ｄ：弾性摘み部
２１ｅ：連結部
Ａ：筆記具
Ａ１，Ａ２，Ａ３，Ａ４，Ａ５，Ａ６：挟持構造
ｃ：クリアランス
ｗ１：挟持部位
ｗ２：挟持部位
ｘ：被挟持物
【図１】
2005014493.tif 000003
【図２】
2005014493.tif 000004
【図３】
2005014493.tif 000005
【図４】
2005014493.tif 000006
【図５】
2005014493.tif 000007
【図６】
2005014493.tif 000008
【図７】
2005014493.tif 000009
【図８】
2005014493.tif 000010